(57)【特許請求の範囲】
【請求項１】
横方向の両側の左右の折り畳み部が前記横方向の中間部の肌面側に重ね合わされるように畳まれて出荷され、使用時に前記折り畳み部が展開され、肌面側に着用者の股部を含む領域に装着される吸収性物品であって、
水分を吸収する吸収コアを有し、前記横方向の中央部が前記中間部となり、前記横方向の両側の部分がそれぞれ前記左右の折り畳み部となっている吸収性物品本体と、
前記吸収性物品本体の肌面側において、前記横方向に間隔をあけて前記縦方向に沿って設けられ、前記吸収性物品本体の肌面側表面から離反するように起立可能な左右のひだ部と、
前記左右のひだ部の先端部に前記縦方向に沿って伸張された状態で接着剤により接合され、その収縮力により前記左右のひだ部を起立させる左右の弾性部材と、
前記左右のひだ部が前記吸収性物品本体の前記中間部の前記肌面側表面に近接する内向きに伏せられた状態で、前記左右のひだ部の前記縦方向の両側の端部を前記吸収性物品本体の前記中間部の前記肌面側表面にそれぞれ接合する前後のひだ端接合部と、
前記吸収性物品本体の前記左右の折り畳み部が折り畳まれている状態において、前記内向きに伏せられた前記左右のひだ部の前記前後のひだ端接合部の間に位置する起立部の肌面側表面と、前記吸収性物品本体の前記左右の折り畳み部の前記肌面側表面とを接合解除可能にそれぞれ仮接合する左右の仮接合部と、
を備えることを特徴とする吸収性物品。
【請求項２】
請求項１に記載の吸収性物品において、
前記吸収性物品本体の前記左右の折り畳み部が折り畳まれた状態から前記横方向の外方側に展開されるのに伴って、前記左右のひだ部の前記起立部が前記内向きに伏せた状態から前記折り畳み部と一緒に前記吸収性物品本体の前記中間部の前記肌面側表面から離反する方向に展開され、前記左右の折り畳み部が前記横方向の外方側にさらに展開されるのに伴って、前記弾性部材の収縮力により前記ひだ部の前記起立部が前記横方向の内方側に復帰しようとする復元力により前記左右の仮接合部が接合解除され、前記左右のひだ部の前記起立部が前記弾性部材の収縮力により起立することを特徴とする吸収性物品。
【請求項３】
横方向の両側の左右の折り畳み部が前記横方向の中間部の肌面側に重ね合わされるように畳まれて出荷され、使用時に前記折り畳み部が展開され、肌面側に着用者の股部を含む領域に装着される吸収性物品であって、
水分を吸収する吸収コアを有し、前記横方向の中央部が前記中間部となり、前記横方向の両側の部分がそれぞれ前記左右の折り畳み部となっている吸収性物品本体と、
前記吸収性物品本体の肌面側において、前記横方向に間隔をあけて前記縦方向に沿って設けられ、前記吸収性物品本体の肌面側表面から離反するように起立可能な左右のひだ部と、
前記左右のひだ部の先端部に前記縦方向に沿って伸張された状態で接着剤により接合され、その収縮力により前記左右のひだ部を起立させる左右の弾性部材と、
前記左右のひだ部が前記吸収性物品本体の前記左右の折り畳み部の前記肌面側表面に近接する外向きに伏せられた状態で、前記左右のひだ部の前記縦方向の両側の端部を前記吸収性物品本体の前記左右の折り畳み部の前記肌面側表面にそれぞれ接合する前後のひだ端接合部と、
前記吸収性物品本体の前記左右の折り畳み部が折り畳まれている状態において、前記外向きに伏せられた前記左右のひだ部の前記前後のひだ端接合部の間に位置する起立部の肌面側表面と、前記吸収性物品本体の前記中間部の前記肌面側表面とを接合解除可能にそれぞれ仮接合する左右の仮接合部と、
を備えることを特徴とする吸収性物品。
【請求項４】
請求項３に記載の吸収性物品において、
前記吸収性物品本体の前記左右の折り畳み部が折り畳まれた状態から前記横方向の外方側に展開されるのに伴って、前記左右のひだ部の前記起立部が前記吸収性物品の前記中間部に引っ張られて前記左右の折り畳み部の前記肌面側表面から離反する方向に展開され、前記左右の折り畳み部が前記横方向の外方側にさらに展開されるのに伴って、前記弾性部材の収縮力により前記ひだ部の前記起立部が前記折り畳み部側に復帰しようとする復元力により前記左右の仮接合部が接合解除され、前記左右のひだ部の前記起立部が前記弾性部材の収縮力により起立することを特徴とする吸収性物品。
【発明の詳細な説明】
【技術分野】
【０００１】
本発明は、着用者の肌面側に向けて立ち上がる左右のひだ部を備えた吸収性物品に関する。
【背景技術】
【０００２】
従来より、図９に示すように、着用者の肌面側に向けて立ち上がる左右のひだ部１を備えた吸収性物品が用いられている。ひだ部１は、その先端部に伸張された状態で接着された弾性部材２の収縮力により立ち上がるようになっている。ひだ部１の先端部では、ひだ部１を構成する不織布が折り返され、その折り返された不織布の内側に弾性部材２が接着剤で固定されている。
【０００３】
この種の吸収性物品は、図９の仮想線で示すように、ひだ部１が横方向Ｘの内方側又は外方側（図９の例では内方側）に伏せられた状態で吸収性物品の製造が行われた後、折り畳まれた状態で圧縮されて包装される場合が多い。また、弾性部材２の固定に用いられる接着剤が固化する前にひだ部１を構成する不織布を透過して折り返されたひだ部１の先端部の外側に染み出すことがある。このため、ひだ部１の先端部の外部に染み出した接着剤により、ひだ部１の先端部が吸収性物品本体３の肌面側表面に貼り付いてしまい、吸収性物品を包装材から取り出して展開したときに、ひだ部１が立ち上がらずに図９の仮想線で示すように伏せられた状態のままになってしまう場合がある。このような場合、装着前に貼り付いたひだ部１の先端部を吸収性物品本体から引き剥がしてひだ部１を立たせる必要があり、装着時の手間が増えるという問題がある。
【０００４】
また、ひだ部１を引き剥がして立たせる作業が行われずに装着された場合には、ひだ部１が伏せられたまま吸収性物品が装着されることとなる。この場合、ひだ部１が機能しないため、尿等の排泄物が吸収性物品の股部の両側から漏れるおそれがある。このため、吸収性物品の包装材には、「装着の前に立体ギャザーを立たせてください」等の注意書きが付されている場合もある。
【０００５】
伏せられた状態にあるひだ部１の外面側を吸収性物品本体の肌面側表面に剥離可能に仮接合する構成としては、特許文献１、２等に記載のもの挙げられるが、これらの構成は本願発明に係る構成とまったく異なるものである。
【先行技術文献】
【特許文献】
【０００６】
【特許文献１】特開２００８−２９７６０号公報
【特許文献２】特開２００９−２０７６６０号公報
【発明の概要】
【発明が解決しようとする課題】
【０００７】
そこで、本発明の解決すべき課題は、ひだ部を立たせるための特別な作業を必要とすることなく、吸収性物品を折り畳まれた状態から展開する作業に伴ってひだ部を確実に立たせることができ、ひだ部が伏せられたまま吸収性物品が装着されるのを確実に防止できる吸収性物品を提供することである。
【課題を解決するための手段】
【０００８】
上記の課題を解決するため、請求項１の発明では、横方向の両側の左右の折り畳み部が前記横方向の中間部の肌面側に重ね合わされるように畳まれて出荷され、使用時に前記折り畳み部が展開され、肌面側に着用者の股部を含む領域に装着される吸収性物品であって、水分を吸収する吸収コアを有し、前記横方向の中央部が前記中間部となり、前記横方向の両側の部分がそれぞれ前記左右の折り畳み部となっている吸収性物品本体と、前記吸収性物品本体の肌面側において、前記横方向に間隔をあけて前記縦方向に沿って設けられ、前記吸収性物品本体の肌面側表面から離反するように起立可能な左右のひだ部と、前記左右のひだ部の先端部に前記縦方向に沿って伸張された状態で接着剤により接合され、その収縮力により前記左右のひだ部を起立させる左右の弾性部材と、前記左右のひだ部が前記吸収性物品本体の前記中間部の前記肌面側表面に近接する内向きに伏せられた状態で、前記左右のひだ部の前記縦方向の両側の端部を前記吸収性物品本体の前記中間部の前記肌面側表面にそれぞれ接合する前後のひだ端接合部と、前記吸収性物品本体の前記左右の折り畳み部が折り畳まれている状態において、前記内向きに伏せられた前記左右のひだ部の前記前後のひだ端接合部の間に位置する起立部の肌面側表面と、前記吸収性物品本体の前記左右の折り畳み部の前記肌面側表面とを接合解除可能にそれぞれ仮接合する左右の仮接合部とを備える。
【０００９】
また、請求項２の発明では、請求項１の発明に係る吸収性物品において、前記吸収性物品本体の前記左右の折り畳み部が折り畳まれた状態から前記横方向の外方側に展開されるのに伴って、前記左右のひだ部の前記起立部が前記内向きに伏せた状態から前記折り畳み部と一緒に前記吸収性物品本体の前記中間部の前記肌面側表面から離反する方向に展開され、前記左右の折り畳み部が前記横方向の外方側にさらに展開されるのに伴って、前記弾性部材の収縮力により前記ひだ部の前記起立部が前記横方向の内方側に復帰しようとする復元力により前記左右の仮接合部が接合解除され、前記左右のひだ部の前記起立部が前記弾性部材の収縮力により起立する。
【００１０】
また、請求項３の発明では、横方向の両側の左右の折り畳み部が前記横方向の中間部の肌面側に重ね合わされるように畳まれて出荷され、使用時に前記折り畳み部が展開され、肌面側に着用者の股部を含む領域に装着される吸収性物品であって、水分を吸収する吸収コアを有し、前記横方向の中央部が前記中間部となり、前記横方向の両側の部分がそれぞれ前記左右の折り畳み部となっている吸収性物品本体と、前記吸収性物品本体の肌面側において、前記横方向に間隔をあけて前記縦方向に沿って設けられ、前記吸収性物品本体の肌面側表面から離反するように起立可能な左右のひだ部と、前記左右のひだ部の先端部に前記縦方向に沿って伸張された状態で接着剤により接合され、その収縮力により前記左右のひだ部を起立させる左右の弾性部材と、前記左右のひだ部が前記吸収性物品本体の前記左右の折り畳み部の前記肌面側表面に近接する外向きに伏せられた状態で、前記左右のひだ部の前記縦方向の両側の端部を前記吸収性物品本体の前記左右の折り畳み部の前記肌面側表面にそれぞれ接合する前後のひだ端接合部と、前記吸収性物品本体の前記左右の折り畳み部が折り畳まれている状態において、前記外向きに伏せられた前記左右のひだ部の前記前後のひだ端接合部の間に位置する起立部の肌面側表面と、前記吸収性物品本体の前記中間部の前記肌面側表面とを接合解除可能にそれぞれ仮接合する左右の仮接合部とを備える。
【００１１】
また、請求項４の発明では、請求項３の発明に係る吸収性物品において、前記吸収性物品本体の前記左右の折り畳み部が折り畳まれた状態から前記横方向の外方側に展開されるのに伴って、前記左右のひだ部の前記起立部が前記吸収性物品の前記中間部に引っ張られて前記左右の折り畳み部の前記肌面側表面から離反する方向に展開され、前記左右の折り畳み部が前記横方向の外方側にさらに展開されるのに伴って、前記弾性部材の収縮力により前記ひだ部の前記起立部が前記折り畳み部側に復帰しようとする復元力により前記左右の仮接合部が接合解除され、前記左右のひだ部の前記起立部が前記弾性部材の収縮力により起立する。
【発明の効果】
【００１２】
請求項１に記載の発明に係る吸収性物品によれば、吸収性物品本体の左右の折り畳み部が折り畳まれている状態において、内向きに伏せられた左右のひだ部の前後のひだ端接合部の間に位置する起立部の肌面側表面と、吸収性物品本体の左右の折り畳み部の肌面側表面とが、左右の仮接合部によって接合解除可能にそれぞれ仮接合されている。それ故、吸収性物品本体の左右の折り畳み部が折り畳まれた状態から横方向の外方側に展開されるのに伴って、左右のひだ部の起立部が、内向きに伏せた状態から折り畳み部と一緒に吸収性物品本体の中間部の肌面側表面から離反する方向に展開される。
【００１３】
このため、仮に内向きに伏せられた左右のひだ部の先端部が染み出した弾性部材接合用の接着剤によって吸収性物品本体の中間部の肌面側表面に貼り付いていても、左右の折り畳み部の展開作業に伴って、左右のひだ部の起立部の先端部が中間部の肌面側表面から引き剥がされ、左右のひだ部の起立部が起立する。そして、左右の仮接合部が接合解除されることにより、左右のひだ部の起立部が弾性部材の収縮力により着用者の肌面側に向けて起立する。左右の仮接合部の接合解除は、左右の折り畳み部を展開する一連の作業の中で行うことができるため、仮接合部の接合解除のための作業負担は軽微であるとともに、作業者が仮接合部の解除をし忘れる可能性も低い。また、仮接合部の接合強度を調節することにより、左右の折り畳み部の展開作業に伴って仮接合部が自発的に接合解除されるようにすることもできる。
【００１４】
その結果、ひだ部を立たせるための特別な作業を必要とすることなく、吸収性物品を折り畳まれた状態から展開する作業に伴ってひだ部を確実に立たせることができる。また、ひだ部が伏せられたまま吸収性物品が装着されるのを確実に防止できる。
【００１５】
請求項２に記載の発明に係る吸収性物品によれば、左右の折り畳み部の展開作業に伴って、内向きに伏せられた左右のひだ部が吸収性物品本体の中間部の肌面側表面から引き離された後、弾性部材の収縮力により左右のひだ部の起立部が横方向の内方側に復帰しようとする復元力により、左右の仮接合部が自発的に接合解除される。このため、仮接合部の接合解除のための作業が不要になるとともに、作業者が仮接合部の解除をし忘れるのを確実に防止できる。
【００１６】
請求項３に記載の発明に係る吸収性物品によれば、吸収性物品本体の左右の折り畳み部が折り畳まれている状態において、外向きに伏せられた左右のひだ部の前後のひだ端接合部の間に位置する起立部の肌面側表面と、吸収性物品本体の中間部の肌面側表面とが、左右の仮接合部によって接合解除可能にそれぞれ仮接合されている。それ故、吸収性物品本体の左右の折り畳み部が折り畳まれた状態から横方向の外方側に展開されるのに伴って、外向きに伏せられた左右のひだ部の起立部が、吸収性物品本体の中間部に引っ張られて左右の折り畳み部の肌面側表面から離反する方向に展開される。
【００１７】
このため、仮に外向きに伏せられた左右のひだ部の先端部が染み出した弾性部材接合用の接着剤によって吸収性物品本体の左右の折り畳み部の肌面側表面に貼り付いていても、左右の折り畳み部の展開作業に伴って、左右のひだ部の起立部の先端部が左右の折り畳み部の肌面側表面から引き剥がされ、左右のひだ部の起立部が起立する。そして、左右の仮接合部が接合解除されることにより、左右のひだ部の起立部が弾性部材の収縮力により着用者の肌面側に向けて起立する。左右の仮接合部の接合解除は、左右の折り畳み部を展開する一連の作業の中で行うことができるため、仮接合部の接合解除のための作業負担は軽微であるとともに、作業者が仮接合部の解除をし忘れる可能性も低い。また、仮接合部の接合強度を調節することにより、左右の折り畳み部の展開作業に伴って仮接合部が自発的に接合解除されるようにすることもできる。
【００１８】
その結果、ひだ部を立たせるための特別な作業を必要とすることなく、吸収性物品を折り畳まれた状態から展開する作業に伴ってひだ部を確実に立たせることができる。また、ひだ部が伏せられたまま吸収性物品が装着されるのを確実に防止できる。
【００１９】
請求項４に記載の発明に係る吸収性物品によれば、左右の折り畳み部の展開作業に伴って、外向きに伏せられた左右のひだ部が吸収性物品本体の左右の折り畳み部の肌面側表面から引き離された後、弾性部材の収縮力により左右のひだ部の起立部が左右の折り畳み部側に復帰しようとする復元力により左右の仮接合部が自発的に接合解除される。このため、仮接合部の接合解除のための作業が不要になるとともに、作業者が仮接合部の解除をし忘れるのを確実に防止できる。
【図面の簡単な説明】
【００２０】
【図１】本発明の第１実施形態に係る吸収性物品の断面の構成を模式的に示す断面図である。
【図２】図１の吸収性物品の左右の折り畳み部が折り畳まれる前の状態を示す平面図である。
【図３】図２の吸収性物品のＡ１−Ａ１線に沿った断面の構成を模式的に示す断面図である。
【図４】図１の吸収性物品の左右の折り畳み部が折り畳まれた際の断面の構成を模式的に示す断面図である。
【図５】本発明の第２実施形態に係る吸収性物品の断面の構成を模式的に示す断面図である。
【図６】図５の吸収性物品の左右の折り畳み部が折り畳まれる前の状態を示す平面図である。
【図７】図６の吸収性物品のＡ２−Ａ２線に沿った断面の構成を模式的に示す断面図である。
【図８】図５の吸収性物品の左右の折り畳み部が折り畳まれた際の断面の構成を模式的に示す断面図である。
【図９】従来の吸収性物品に関する説明図である。
【発明を実施するための形態】
【００２１】
図１ないし図４を参照して、本発明の第１実施形態に係る吸収性物品１０について説明する。なお、図１ないし図４及び後述の図面において、横方向Ｘは着用者の左右方向に対応しており、縦方向Ｙは着用者の前後又は上下方向に対応している。
【００２２】
本実施形態に係る吸収性物品１０は、テープ型又はパンツ型のおむつ等の股部の内側に敷き込まれて用いられるものである（尿パッドと呼ばれる場合がある）。この吸収性物品１０をテープ型又はパンツ型のおむつ等の股部に敷き込むことにより、おむつの吸液容量が補強され、多量の尿が排尿された場合又は多量の水分を含んだ軟便が排便された場合に対応できるようになる。なお、本実施形態では本発明を尿パッドに適用した場合について説明したが、本発明をテープ型又はパンツ型のおむつに適用してもよい。なお、テープ型のおむつとは、おむつの後縁部の左右両側等に面ファスナー等の止着部材が設けられたタイプのおむつであり、パンツ型のおむつとは、左右の脚穴と腰穴を有し、左右の脚穴に着用者の脚を通して装着するタイプのおむつである。
【００２３】
この吸収性物品１０は、図１ないし図４に示すように、吸収性物品本体１１、左右のひだ部１２、左右の弾性部材１３、前後のひだ端接合部１４，１５、及び左右の仮接合部１６を備えている。
【００２４】
吸収性物品本体１１は、内側シート材２１、外側シート材２２及び吸収コア２３を備えている。内側シート材２１は、少なくとも一部が透液性を有するシート材である。本実施形態では、内側シート材２１が、透液性を有するトップシート２１１と、不透液性を有し、そのトップシート２１１の横方向Ｘの両側に肌面側から重なるように配置される左右のサイドシート２１２とによって構成されている。トップシート２１１の横方向Ｘの両側の縁部とその縁部に対向する左右のサイドシート２１２の部分とが、接着剤（例えば、ホットメルト接着剤）等により接合されている。本実施形態では、左右のサイドシート２１２の横方向Ｘの内方側の部分により、左右のひだ部１２が構成されている。トップシート２１１の材料としては、例えば親水性不織布等が挙げられる。サイドシート２１２の材料としては、例えば疎水性不織布等が挙げられる。
【００２５】
外側シート材２２は、不透液性を有し、内側シート材２１の外面側に配置される。具体的には、例えば、通気性と不透液性とを有する多孔質樹脂フィルムの外面側に不織布シートを貼り合わせることにより外側シート材２２が構成される。吸収コア２３は、水分を吸収する素材（例えば、親水性繊維が集合されてなる繊維集合体等）を有し、内側シート材２１と外側シート材２２との間に配置される。
【００２６】
このように構成される吸収性物品本体１１は、図４に示すように、横方向Ｘの両側の折り畳み部１１１が、横方向Ｘの中央部に位置する中間部１１２の肌面側に重ね合わされるように折り畳まれた状態で出荷される。左右の折り畳み部１１１の折り畳み位置は、例えば吸収コア２３の横方向Ｘの両側の縁部に対応する位置、又はその付近に設定される。
【００２７】
左右のひだ部１２は、吸収性物品本体１１の肌面側において、横方向Ｘに間隔をあけて縦方向Ｙに沿って設けられ、吸収性物品本体１１の肌面側表面から離反するように起立可能となっている。本実施形態では、左右のひだ部１２が、図２の仮想線で示す立ち上がり位置２６を基端部（起点）として立ち上がるようになっている。立ち上がり位置２６は、例えば吸収コア２３の横方向Ｘの両側の縁部に対応する位置、又はその付近に設定される。
【００２８】
左右の弾性部材１３は、左右のひだ部１２の先端部に縦方向Ｙに沿って伸張された状態で接着剤（例えば、ホットメルト接着剤）によりそれぞれ接合され、その収縮力により左右のひだ部１２を起立させる。本実施形態では、ひだ部１２を構成する不織布がひだ部１２の先端部で折り返されており、弾性部材１３がその不織布の折り返された部分の内側に接着剤で接合されている。
【００２９】
前後のひだ端接合部１４，１５は、図２及び図３に示すように左右のひだ部１２が吸収性物品本体１１の中間部１１２の肌面側表面に近接する内向きに伏せられた状態で、左右のひだ部１２の縦方向Ｙの両側の端部を中間部１１２の肌面側表面にそれぞれ接合する。ひだ端接合部１４，１５による接合は、接着剤（例えば、ホットメルト接着剤）又は融着（加熱融着又は超音波融着）等により行われる。このように、ひだ部１２の縦方向Ｙの両側の端部が中間部１１２の肌面側表面に接合されているため、ひだ部１２における前後のひだ端接合部１４，１５の間に位置する部分が、起立部１２１として立ち上がるようになっている。
【００３０】
左右の仮接合部１６は、図４に示すように吸収性物品本体１１の左右の折り畳み部１１１が折り畳まれている状態において、内向きに伏せられた左右のひだ部１２の起立部１２１の肌面側表面と左右の折り畳み部１１１の肌面側表面とを接合解除可能にそれぞれ仮接合する。図２に仮想線で示す領域は、左右の仮接合部１６によって接合されるひだ部１２及び折り畳み部１１１の接合領域２７，２８を示している。なお、図２に示す構成では、仮接合部１６が左右に１カ所ずつ設けられているが、仮接合部１６を左右の縦方向Ｙに異なる２カ所又は３カ所に設けてもよい。
【００３１】
このような左右の仮接合部１６の形成は、次のようにして行われる。すなわち、左右の折り畳み部１１１が平面状に展開された状態で、ひだ部１２及びひだ端接合部１４，１５が形成された後で、接合領域２７，２８のいずれか一方に接着剤を付与する。続いて、図４に示すように、左右の折り畳み部１１１を折り畳む。これにより、接合領域２７，２８のいずれか一方に付与された接着剤により、ひだ部１２の起立部１２１と左右の折り畳み部１１１とが仮接合される。
【００３２】
左右の仮接合部１６での接合には、肌に優しい材料からなる接着剤（例えば、ホットメルト接着剤）等が選択される。仮接合部１６の接合強度（あるいは、接合を解除するのに必要な力）は、後述するように、ひだ部１２の先端部が染み出した弾性部材１３接合用の接着剤により吸収性物品本体１１の中間部１１２の肌面側表面に貼り付いている場合に、折り畳まれた左右の折り畳み部１１１が横方向Ｘの外方側に展開されるのに伴って折り畳み部１１１によりひだ部１２が引っ張られて、ひだ部１２の先端部が中間部１１２の肌面側表面から引き剥がされるのに必要な値に設定される。さらに、仮接合部１６の接合強度（あるいは、接合を解除するのに必要な力）は、後述するように、折り畳まれた左右の折り畳み部１１１が横方向Ｘの外方側に展開され、ひだ部１２が図１に示す起立姿勢を超えて横方向Ｘの外方側に折り畳み部１１１と一緒に展開された際に、弾性部材１３の収縮力によりひだ部１２が横方向Ｘの内方側に復帰しようとする復元力により、自発的に接合解除されるような値であるのが好ましい。
【００３３】
このように構成される吸収性物品１０は、図４に示すように、吸収性物品本体１１の横方向Ｘの両側の折り畳み部１１１が折り畳まれ、左右の仮接合部１６により、左右のひだ部１２の起立部１２１の肌面側表面と左右の折り畳み部１１１の肌面側表面とが接合解除可能に仮接合された状態で包装材に入れられて出荷される。
【００３４】
使用時は、吸収性物品１０が包装材から出された後、吸収性物品本体１１の左右の折り畳み部１１１の横方向Ｘの外方側の縁部１１１ａを手で摘む等して、左右の折り畳み部１１１が横方向Ｘの外方側に展開される。この展開作業に伴い、左右のひだ部１２の起立部１２１が内向きに伏せた状態から折り畳み部１１１と一緒に中間部１１２の肌面側表面から離反する方向に展開される。このとき、左右のひだ部１２の先端部が、ひだ部１２を構成する不織布を介して外部に染み出した弾性部材１３接合用の接着剤によって中間部１１２の肌面側表面に貼り付いていても、折り畳み部１１１の展開作業に伴って左右のひだ部１２の先端部が折り畳み部１１１と一緒に中間部１１２の肌面側表面から引き剥がされる。
【００３５】
そして、左右の折り畳み部１１１が横方向Ｘの外方側にさらに展開され、ひだ部１２が図１に示す起立姿勢を超えて横方向Ｘの外方側に折り畳み部１１１と一緒に展開された際に、弾性部材１３の収縮力によりひだ部１２が横方向Ｘの内方側に復帰しようとする復元力により、左右の仮接合部１６が自発的に接合解除される。これに伴い、左右のひだ部１２の起立部１２１が、弾性部材１３の収縮力により図１に示すように起立する。
【００３６】
このため、この吸収性物品１０によれば、ひだ部１２を立たせるための特別な作業を必要とすることなく、吸収性物品１０を折り畳まれた状態から展開する作業に伴ってひだ部１２を確実に立たせることができる。また、ひだ部１２が伏せられたまま吸収性物品１０が装着されるのを確実に防止できる。
【００３７】
また、左右の折り畳み部１１１の展開作業に伴って、内向きに伏せられた左右のひだ部１２が吸収性物品本体１１の中間部１１２の肌面側表面から引き離された後、弾性部材１３の収縮力により左右のひだ部１２の起立部１２１が横方向Ｘの内方側に復帰しようとする復元力により、左右の仮接合部１６が自発的に接合解除される。このため、仮接合部１６の接合解除のための作業が不要になるとともに、作業者が仮接合部１６の解除をし忘れるのを確実に防止できる。
【００３８】
なお、上述の構成では左右の仮接合部１６が左右の折り畳み部１１１の展開作業に伴って自発的に接合解除される構成としたが、仮接合部１６の接合解除を作業者が行うようにしてもよい。この場合でも、仮接合部１６の接合解除を折り畳み部１１１を展開する一連の作業の中で行うことができるため、仮接合部１６の接合解除のための作業負担は軽微であるとともに、作業者が仮接合部１６の解除をし忘れる可能性も低い。この構成は後述の第２実施形態に係る吸収性物品１０Ａにも適用できる。
【００３９】
次に、図５ないし図８を参照して、本発明の第２実施形態に係る吸収性物品１０Ａについて説明する。この吸収性物品１０Ａが上述の第１実施形態に係る吸収性物品１０と実質的に異なる点は、図５に示す左右のひだ部１２の伏せられる向きが外向きになって点、及びそれに関連して、前後のひだ端接合部１４Ａ，１５Ａ及び左右の仮接合部１６Ａの構成が異なっている点のみであり、互いに対応する部分は同一の参照符号を付して説明を省略する。
【００４０】
この吸収性物品１０Ａでは、前後のひだ端接合部１４Ａ，１５Ａが、図６及び図７に示すように左右のひだ部１２が吸収性物品本体１１の左右の折り畳み部１１１の肌面側表面に近接する外向きに伏せられた状態で、左右のひだ部１２の縦方向Ｙの両側の端部を左右の折り畳み部１１１の肌面側表面にそれぞれ接合している。ひだ部１２が外向きに伏せられているときは、ひだ部１２を構成するサイドシート２１２が立ち上がり位置２６Ａに沿って横方向Ｘの外方側に折り畳まれている。
【００４１】
左右の仮接合部１６Ａは、図８に示すように吸収性物品本体１１の左右の折り畳み部１１１が折り畳まれている状態において、外向きに伏せられた左右のひだ部１２の起立部１２１の肌面側表面と中間部１１２の肌面側表面とを接合解除可能にそれぞれ仮接合している。図６に仮想線で示す領域は、左右の仮接合部１６Ａによって接合されるひだ部１２及び中間部１１２の接合領域２７Ａ，２８Ａを示している。仮接合部１６Ａに用いられる接着剤、及び仮接合部１６Ａの形成等については、上述の仮接合部１６とほぼ同様である。
【００４２】
仮接合部１６Ａの接合強度（あるいは、接合を解除するのに必要な力）は、ひだ部１２の先端部が染み出した弾性部材１３接合用の接着剤により吸収性物品本体１１の左右の折り畳み部１１１の肌面側表面に貼り付いている場合に、折り畳まれた左右の折り畳み部１１１が横方向Ｘの外方側に展開されるのに伴ってひだ部１２が中間部１１２に引っ張られてひだ部１２の先端部が吸収性物品本体１１の肌面側表面から引き剥がされるのに必要な値に設定される。さらに、仮接合部１６の接合強度（あるいは、接合を解除するのに必要な力）は、折り畳まれた左右の折り畳み部１１１が横方向Ｘの外方側にさらに展開され、展開される左右の折り畳み部１１１に対する中間部１１２に仮接合されているひだ部１２の起立部１２１の角度が所定の値を超えた際に、弾性部材１３の収縮力によりひだ部１２の起立部１２１が展開される折り畳み部１１１側に復帰しようとする復元力により、自発的に接合解除されるような値であるのが好ましい。
【００４３】
この吸収性物品１０Ａも上述の吸収性物品１０と同様に、図８に示すように、吸収性物品本体１１の横方向Ｘの両側の折り畳み部１１１が折り畳まれ、左右の仮接合部１６Ａにより、左右のひだ部１２の起立部１２１の肌面側表面と中間部１１２の肌面側表面とが接合解除可能に仮接合された状態で包装材に入れられて出荷される。
【００４４】
使用時は、吸収性物品１０Ａが包装材から出された後、吸収性物品本体１１の左右の折り畳み部１１１の横方向Ｘの外方側の縁部１１１ａを手で摘む等して、左右の折り畳み部１１１が横方向Ｘの外方側に展開される。この展開作業に伴い、外向きに伏せられた左右のひだ部１２の起立部１２１が中間部１１２に引っ張られて左右の折り畳み部１１１の肌面側表面から離反する方向に展開される。このとき、左右のひだ部１２の先端部が、ひだ部１２を構成する不織布を介して外部に染み出した弾性部材１３接合用の接着剤によって折り畳み部１１１の肌面側表面に貼り付いていても、折り畳み部１１１の展開作業に伴って左右のひだ部１２の先端部が折り畳み部１１１の肌面側表面から引き剥がされる。
【００４５】
そして、左右の折り畳み部１１１が横方向Ｘの外方側にさらに展開され、展開される左右の折り畳み部１１１に対する中間部１１２に仮接合されているひだ部１２の起立部１２１の角度が所定の値を超えた際に、弾性部材１３の収縮力によりひだ部１２の起立部１２１が展開される折り畳み部１１１側に復帰しようとする復元力により、左右の仮接合部１６Ａが自発的に接合解除される。これに伴い、左右のひだ部１２の起立部１２１が、弾性部材１３の収縮力により図５に示すように起立する。
【００４６】
このため、この吸収性物品１０Ａにおいても、上述の吸収性物品１０とほぼ同様に、ひだ部１２を立たせるための特別な作業を必要とすることなく、吸収性物品１０Ａを折り畳まれた状態から展開する作業に伴ってひだ部１２を確実に立たせることができる等の効果が得られる。
【００４７】
なお、上述の第１及び第２実施形態に係る吸収性物品１０，１０Ａの変形例として、仮接合部１６，１６Ａに用いる接着剤（例えば、ホットメルト接着剤）を、ひだ部１２及び内側シート材２１の色（例えば、白色）と異なる色（例えば、赤色、青色等）に着色してもよい。あるいは、仮接合部１６，１６Ａが設けられるひだ部１２又は吸収性物品本体１１の接合領域２７，２７Ａ又は接合領域２８，２８Ａのいずれか一方又は両方を、他の部分と異なる色（例えば、赤色、青色等）に着色してもよい。これらの構成により、吸収性物品１０，１０Ａの装着を行う作業者に、仮接合部１６，１６Ａの位置を容易に認識させることができる。
【符号の説明】
【００４８】
１０，１０Ａ  吸収性物品、１１  吸収性物品本体、１１１  折り畳み部、１１２  中間部、１２  ひだ部、１２１  起立部、１３  弾性部材、１４，１４Ａ，１５，１５Ａ  ひだ端接合部、１６，１６Ａ  仮接合部、２１  内側シート材、２１１  トップシート、２１２  サイドシート、２２  外側シート材、２３  吸収コア、２６，２６Ａ  立ち上がり位置、２７，２７Ａ，２８，２８Ａ  接合領域、Ｘ  横方向、Ｙ  縦方向。
【図１】
0005497562.tif 000002
【図２】
0005497562.tif 000003
【図３】
0005497562.tif 000004
【図４】
0005497562.tif 000005
【図５】
0005497562.tif 000006
【図６】
0005497562.tif 000007
【図７】
0005497562.tif 000008
【図８】
0005497562.tif 000009
【図９】
0005497562.tif 000010